(57)【要約】【課題】映像伝送装置を遠隔から一元的に管理することができるようにし，また映像伝送装置に異常動作が認められた場合に，その原因を遠隔にある管理場所で把握できるようにする。【解決手段】映像伝送装置１０４にネットワーク用インタフェースと，映像信号用インタフェースと，遠隔管理情報入出力インタフェースとを設け，映像信号用インタフェースを介して映像装置１０１から入力されたディジタル映像信号をパケット化し，パケット化映像データをネットワーク用インタフェースから受信側の映像伝送装置１１４へ送信し，また遠隔管理情報入出力インタフェースを用いて，遠隔に設置された遠隔管理装置１２３との間で，映像の伝送を開始または終了させるための遠隔管理情報，映像伝送装置１０４内部で観測した状態を示す遠隔管理情報を送受信する。【選択図】　　　　　図１
2004015784.tif 000002
【特許請求の範囲】
【請求項１】
ネットワークを介してディジタル映像信号を送信側から受信側へ伝送させる映像伝送装置において，
ネットワークと接続させるためのネットワーク用インタフェースと，
ディジタル映像信号を入出力させるための映像信号用インタフェースと，
遠隔に設置された管理装置との間で遠隔管理情報を入出力させるための遠隔管理情報入出力インタフェースとを備えるとともに，
前記映像信号用インタフェースから入力されたディジタル映像信号をネットワーク送信用のパケットに変換し，変換されたネットワーク送信用のパケットを前記ネットワーク用インタフェースからネットワークへ送出し，ネットワークを介して送信されてきたネットワーク送信用のパケットを前記ネットワーク用インタフェースから入力し，ネットワーク送信用のパケットに変換されたパケットをディジタル映像信号に変換し，変換されたディジタル映像信号を前記映像信号用インタフェースから出力し，前記遠隔管理情報入出力インタフェースから入出力させる遠隔管理情報によって当該装置を遠隔から管理させるための制御を行う手段とを備える
ことを特徴とする映像伝送装置。
【請求項２】
ネットワークを介してディジタル映像信号を送信側から受信側へ伝送させる映像伝送装置において，
ネットワークと接続させるためのネットワーク用インタフェースと，
ディジタル映像信号を入出力させるための映像信号用インタフェースとを備えるとともに，
前記映像信号用インタフェースから入力されたディジタル映像信号をネットワーク送信用のパケットに変換し，変換されたネットワーク送信用のパケットを前記ネットワーク用インタフェースからネットワークへ送出し，ネットワークを介して送信されてきたネットワーク送信用のパケットを前記ネットワーク用インタフェースから入力し，入力したパケットが映像信号に関するパケットである場合に，そのパケットをディジタル映像信号に変換し，変換されたディジタル映像信号を前記映像信号用インタフェースから出力し，前記ネットワーク用インタフェースを用いて遠隔に設置された管理装置との間で遠隔管理情報を入出力させ，遠隔管理情報によって当該装置を遠隔から管理させるための制御を行う手段とを備える
ことを特徴とする映像伝送装置。
【請求項３】
請求項１または請求項２に記載の映像伝送装置において，
当該映像伝送装置内の内部温度を測定する手段を備え，
前記遠隔に設置された管理装置へ送信する遠隔管理情報は，前記内部温度を測定する手段によって測定した内部温度に関する情報を含む
ことを特徴とする映像伝送装置。
【請求項４】
請求項１または請求項２に記載の映像伝送装置において，
当該映像伝送装置内の排熱用ファンの回転数を測定する手段を備え，
前記遠隔に設置された管理装置へ送信する遠隔管理情報は，前記排熱用ファンの回転数を測定する手段によって測定した排熱用ファンの回転数に関する情報を含む
ことを特徴とする映像伝送装置。
【請求項５】
請求項１または請求項２に記載の映像伝送装置において，
当該映像伝送装置内の電圧を測定する手段を備え，
前記遠隔に設置された管理装置へ送信する遠隔管理情報は，前記電圧を測定する手段によって測定した電圧に関する情報を含む
ことを特徴とする映像伝送装置。
【請求項６】
請求項１から請求項５までのいずれかに記載の映像伝送装置において，
前記遠隔に設置された管理装置へ送信する遠隔管理情報は，定期的にまたは前記管理装置からの要求があったときに，前記管理装置へ送信される
ことを特徴とする映像伝送装置。
【請求項７】
請求項３，請求項４または請求項５に記載の映像伝送装置において，
前記遠隔に設置された管理装置へ送信する遠隔管理情報は，当該映像伝送装置において測定された値が，所定の閾値との比較により，ある範囲から逸脱したときに，前記管理装置へ送信される
ことを特徴とする映像伝送装置。
【発明の詳細な説明】
【０００１】
【発明の属する技術分野】
本発明は，ディジタル処理された映像信号を通信ネットワークを介して伝送させる映像伝送装置に関し，特に，遠隔から制御・管理させる機能を有する映像伝送装置に関するものである。
【０００２】
【従来の技術】
以下に，従来技術におけるディジタル映像信号をネットワークを介して伝送させる映像伝送装置について説明する。ここでいうディジタル映像信号とは，ディジタル処理されたビデオ映像信号を示している。
【０００３】
図７に，従来技術の映像伝送装置を適応させたディジタル映像を送受信させるためのシステム概念図を示す。図７において，７０１および７０７は映像装置，７０２および７０６は映像伝送装置，７０３および７０５はスイッチ，７０４はネットワークを表す。
【０００４】
図８に，従来技術の送信側に適応させる映像伝送装置の概念図を示す。図８において，８０１は映像信号用インタフェース，８０２はネットワーク用インタフェース，８０３はキーボード，８０４はマウス，８０５はディスプレイ，８０６は信号伝送路，８０７は信号処理部，８０８はアプリケーションメニュー，８０９は映像伝送開始ボタン，８１０は映像伝送終了ボタンを表す。
【０００５】
図９に，従来技術の受信側に適応させる映像伝送装置の概念図を示す。図９において，９０１は映像信号用インタフェース，９０２はネットワーク用インタフェース，９０３はキーボード，９０４はマウス，９０５はディスプレイ，９０６は信号伝送路，９０７は信号処理部，９０８はアプリケーションメニュー，９０９は映像伝送開始ボタン，９１０は映像伝送終了ボタンを表す。
【０００６】
一般にネットワークを介して映像を伝送させる映像伝送装置７０２には，パーソナルコンピュータが用いられているため，送信側の映像伝送装置７０２に接続されたキーボード８０３，マウス８０４およびディスプレイ８０５を用いて，当該装置が送信側であるという選択，伝送させる映像信号の種類の選択，受信側の映像伝送装置７０６のＩＰアドレス，当該装置のＩＰアドレス，送信させるネットワーク用のパケットサイズなどの情報が映像伝送装置７０２のアプリケーションメニュー８０８から設定される。
【０００７】
同様にして受信側の映像伝送装置７０６に接続されたキーボード９０３，マウス９０４およびディスプレイ９０５を用いて，当該装置が受信側の装置であるという選択，受信させる映像信号の種類の選択，送信側の映像伝送装置７０２のＩＰアドレス，ローカルのＩＰアドレスの書込み，受信させるパケットのサイズの選択などの情報が映像伝送装置７０６のアプリケーションメニュー９０８から設定される。
【０００８】
映像の伝送に必要となる情報が映像伝送装置７０２，７０６にそれぞれ設定された後，それぞれのアプリケーションメニュー８０８，９０８における映像伝送開始ボタン８０９，９０９がマウス８０４，９０４によってクリックされることより，映像の伝送が開始される。
【０００９】
映像の伝送が開始されると，映像伝送装置７０２は，映像装置８０１から出力されるディジタル映像信号を映像信号用インタフェース８０１から入力する。入力されたディジタル映像信号は，信号伝送路８０６を介して信号処理部８０７に伝送され，ネットワーク伝送用のパケットに変換され，パケットに変換されたディジタル映像信号は，信号伝送路８０６からネットワーク用インタフェース８０２，スイッチ７０３，ネットワーク７０４，スイッチ７０５を経由して映像伝送装置７０６へ送信される。
【００１０】
映像伝送装置７０６において受信したネットワーク伝送用のパケットに変換されたディジタル映像信号は，ネットワーク用インタフェース９０２から信号伝送路９０６を介して，信号処理部９０７へ伝送され，信号処理部９０７においてネットワーク伝送用のパケットからディジタル映像信号に戻され，映像信号用インタフェース９０１から映像装置７０７に出力される。出力されたディジタル映像信号は，映像装置７０７において蓄積もしくは表示される。
【００１１】
映像装置７０１からのディジタル映像信号の伝送を終了させる場合，ユーザは，映像伝送装置７０２または映像伝送装置７０６において，マウス８０４，９０４によってアプリケーションメニュー８０８，９０８の映像伝送終了ボタン８１０，９１０をクリックする。これにより映像伝送装置７０２，７０６は，映像の伝送を終了させる。
【００１２】
【発明が解決しようとする課題】
しかしながら，上述した従来技術の映像伝送装置には，以下の問題点があった。
【００１３】
（１）ユーザが映像伝送装置の操作を行う場合，そのユーザは映像伝送装置が設置してある場所まで移動し，映像伝送装置に接続されたキーボード，マウスおよびディスプレイを用いて操作しなければならないため，不便を強いられるという問題があった。
【００１４】
また，複数の映像伝送装置が分散されて設置された場合，各装置の操作を行うには，ユーザが分散されて設置された各装置間を移動しなければならず，同時に操作させることができない。もしくは複数のユーザが装置ごとに操作することになり，人手が必要になるという問題があった。
【００１５】
（２）映像伝送装置に接続されたディスプレイ，キーボード，マウスは，机上など比較的広く，平らな台上で用いるのに便利な装置であり，一般に通信機器が設置されるラックなどにおいては，映像伝送装置に接続されたディスプレイ，キーボード，マウスを用いるのに十分なスペースを確保することが困難なため，映像伝送装置を設置させる場所が限定されてしまうという問題があった。
【００１６】
（３）従来技術の映像伝送装置には，ユーザが映像伝送装置の異常な動作状態を認知するために必要となる，映像伝送装置の内部温度，排熱用のファンの回転数，電圧を監視する機能を持たないため，映像伝送装置の動作に異常が認められた場合において異常な動作の原因が判別できず，このためユーザの経験から異常動作の原因を判断し，対処しなくてはならないという問題があった。
【００１７】
（４）従来技術の映像伝送装置は，映像伝送装置の内部温度，排熱用のファンの回転数，電圧を監視する機能を持たないため，映像伝送装置の排熱の不具合により内部温度が上昇したことや，異常に多くの電荷の蓄積を原因とする映像伝送装置の電圧に異常が発生したことなど，ユーザに映像伝送装置が異常であることを通知することができず，適切な処置を促すことができないという問題があった。
【００１８】
（５）上記（４）に述べた機能を有していないため，ユーザは，映像伝送装置が動作中に常に装置の前にいて，異常な動作が発生していないかを監視している必要があり，不便を強いられていた。
【００１９】
本発明の目的は，遠隔に設置された管理装置との間で遠隔管理情報を入出力させるための遠隔管理情報入出力インタフェースを設け，そのインタフェースから入出力させる遠隔管理情報によって，映像伝送装置を遠隔から管理することを可能とする手段を用いることにより，一般的に通信機器が設置されるラック等への映像伝送装置の設置を可能にすること，管理場所の遠隔に設置された映像伝送装置を，特定の管理場所にいるユーザによって一元的に管理できるようにすること，映像伝送装置に異常動作が認められた場合，その原因が映像伝送装置の排熱による不具合のためか，あるいは映像伝送装置に異常に多くの電荷が蓄積されているためか，それ以外の理由によるものかを判別できるようにすること，映像伝送装置に異常が生じた場合，映像伝送装置に異常が発生していることをユーザに通知することを可能にすることにある。
【００２０】
【課題を解決するための手段】
本発明は，上記課題を解決するため，ネットワークと接続させるためのインタフェースと，ディジタル映像信号を入出力させるためのインタフェースと，遠隔に設置された管理装置との間で遠隔管理情報を入出力させるための遠隔管理情報入出力インタフェースとを具備し，また，ディジタル映像信号を入力させるインタフェースから入力されたディジタル映像信号をネットワーク送信用のパケットに変換する手段と，変換されたネットワーク送信用のパケットをネットワークと接続させるためのインタフェースからネットワークへ送出する手段と，ネットワークを介して送信されてきたネットワーク送信用のパケットをネットワークと接続させるためのインタフェースから入力する手段と，ネットワーク送信用のパケットに変換されたパケットをディジタル映像信号に変換する手段と，変換されたディジタル映像信号を入出力させるための映像信号用インタフェースから出力する手段と，遠隔管理情報入出力インタフェースから入出力させる遠隔管理情報によって当該装置を遠隔から管理することを可能とする手段とを具備することを特徴とする。
【００２１】
また，映像伝送装置に，当該映像伝送装置内の内部温度を測定する手段，排熱用ファンの回転数を測定する手段または電圧を測定する手段を設け，遠隔に設置された管理装置へ，前記遠隔管理情報入出力インタフェースから測定した内部温度情報，測定した排熱用ファンの回転数の情報または測定した電圧の情報を，遠隔管理情報として送信することを特徴とする。
【００２２】
本発明によれば，遠隔管理情報入出力インタフェースによって，遠隔に設置された管理装置から発信された遠隔管理情報ならびに当該装置から遠隔に設置された管理装置へ発信させる遠隔管理情報を入出力できるようになるため，映像伝送装置の設置場所にユーザがいなくても，遠隔に設置された管理装置による管理が可能になり，映像伝送装置を一般的に通信機器が設置されるラック等へ設置して用いることが可能になるとともに，管理場所とは離れた場所に設置された映像伝送装置を，特定の管理場所にいるユーザによって一元的に管理することが可能になる。
【００２３】
また，映像伝送装置に異常動作が認められた場合，その原因が映像伝送装置の排熱による不具合のためか，あるいは映像伝送装置に異常に多くの電荷が蓄積されているためか，それ以外の理由によるものかを，遠隔管理情報によって判別できるようになり，映像伝送装置に異常が生じた場合，映像伝送装置に異常が発生していることをユーザに通知することが可能になる。
【００２４】
【発明の実施の形態】
以下に本発明の実施の形態として，遠隔に設置された管理装置から発信された遠隔管理情報ならびに当該映像伝送装置から遠隔に設置された管理装置へ発信させる遠隔管理情報を，遠隔管理情報入出力インタフェースから入出力させることによって，映像伝送装置を遠隔から管理するための構成例について図面を参照して詳細に説明する。
【００２５】
図１は，本発明の第１の実施の形態に係る映像伝送装置と遠隔に設置された遠隔管理装置との間で送受信される遠隔管理情報を，遠隔管理情報入出力インタフェースから入出力させることによって，映像伝送装置を遠隔から管理する方法を説明するための図である。図１において，１０１〜１０３および１１７〜１１９は映像装置，１０４〜１０６および１１４〜１１６は映像伝送装置，１０７〜１０９および１１１〜１１３はスイッチ，１１０はネットワーク，１２０〜１２２および１２４〜１２６は遠隔管理情報，１２３および１２７は遠隔管理装置を表す。
【００２６】
図２は，本実施の形態の映像を伝送させるために用いる送信側の映像伝送装置の構成例を説明するための図である。図２において，２０１は信号処理部，２０２は信号伝送路，２０３は映像信号用インタフェース，２０４はネットワーク用インタフェース，２０５は内部温度測定部，２０６は排熱用ファン回転数測定部，２０７は電圧測定部，２０８は遠隔管理情報入出力インタフェースを表す。
【００２７】
図３は，本実施の形態の映像を伝送させるために用いる受信側の映像伝送装置の構成例を説明するための図である。図３において，３０１は信号処理部，３０２は信号伝送路，３０３はネットワーク用インタフェース，３０４は映像信号用インタフェース，３０５は内部温度測定部，３０６は排熱用ファン回転数測定部，３０７は電圧測定部，３０８は遠隔管理情報入出力インタフェースを表す。
【００２８】
以下で説明する第１の実施の形態では，例えば映像装置１０１から映像装置１１７に対してディジタル映像信号を伝送させる場合において，遠隔に設置された遠隔管理装置１２３，１２７から発信された遠隔管理情報ならびに映像伝送装置１０４，１１４から遠隔に設置された遠隔管理装置１２３，１２７へ発信させる遠隔管理情報を，遠隔管理情報入出力インタフェース２０８，３０８から入出力させることによって当該映像伝送装置１０４，１１４を遠隔から管理する。
【００２９】
図１に示すように，映像装置１０１は，映像伝送装置１０４，スイッチ１０７，ネットワーク１１０，スイッチ１１１，映像伝送装置１１４を介して映像装置１１７と接続されている。
【００３０】
映像伝送装置１０４は遠隔管理装置１２３と接続されており，映像伝送装置１０４は遠隔管理装置１２３に対して遠隔管理情報１２０を発信し，また，遠隔管理装置１２３は映像伝送装置１０４に対して遠隔管理情報１２０を発信する。同様に，映像伝送装置１１４は遠隔管理装置１２７と接続されており，映像伝送装置１１４は遠隔管理装置１２７に対して遠隔管理情報１２４を発信し，また，遠隔管理装置１２７は映像伝送装置１１４に対して遠隔管理情報１２４を発信する。
【００３１】
映像装置１０２，１０３は，それぞれ映像伝送装置１０５，１０６，スイッチ１０８，１０９，ネットワーク１１０，スイッチ１１２，１１３，映像伝送装置１１５，１１６を介して映像装置１１８，１１９と接続されている。
【００３２】
映像伝送装置１０５，１０６と遠隔管理装置１２３との間でも，それぞれ遠隔管理情報１２１，１２２が送受信され，また，映像伝送装置１１５，１１６と遠隔管理装置１２７との間でも，それぞれ遠隔管理情報１２５，１２６が送受信される。
【００３３】
映像送信側の映像伝送装置１０４〜１０６では，遠隔管理装置１２３から発信される遠隔管理情報１２０〜１２２が，図２に示す遠隔管理情報入出力インタフェース２０８から入力され，その入力された遠隔管理情報１２０〜１２２は，信号伝送路２０２を介して信号処理部２０１に伝送され，遠隔管理情報１２０〜１２２が映像伝送装置１０４〜１０６に設定される。
【００３４】
同様にして，受信側の映像伝送装置１１４〜１１６では，遠隔管理装置１２７から発信される遠隔管理情報１２４〜１２６が，図３に示す遠隔管理情報入出力インタフェース３０８から入力され，その入力された遠隔管理情報１２４〜１２６は，信号伝送路３０２を介して信号処理部３０１に伝送され，遠隔管理情報１２４〜１２６が映像伝送装置１１４〜１１６に設定される。
【００３５】
映像の伝送に必要となる情報が，映像伝送装置１０４〜１０６および１１４〜１１６に設定されると，映像伝送装置１０４〜１０６は，遠隔管理装置１２３から発信される映像伝送を開始させる情報が内包された遠隔管理情報１２０〜１２２に従って，映像装置１０１〜１０３から出力されるディジタル映像信号を映像信号用インタフェース２０３から入力する。
【００３６】
映像信号用インタフェース２０３から入力されたディジタル映像信号は，信号伝送路２０２を介して信号処理部２０１に伝送され，信号処理部２０１においてネットワーク伝送用のパケットに変換され，パケットに変換されたディジタル映像信号は，信号伝送路２０２からネットワーク用インタフェース２０４，スイッチ１０７〜１０９，ネットワーク１１０，スイッチ１１１〜１１３を介して，映像伝送装置１１４〜１１６へ送信される。
【００３７】
映像伝送装置１１４〜１１６では，遠隔管理装置１２７から発信される映像伝送を開始させる情報が内包された遠隔管理情報１２４〜１２６に従って，ネットワーク伝送用のパケットに変換されたディジタル映像信号を受信し，そのパケット化されたディジタル映像信号は，ネットワーク用インタフェース３０３から信号伝送路３０２を介して，信号処理部３０１へ伝送され，信号処理部３０１へ伝送されたパケット化されたディジタル映像信号は，元のディジタル映像信号に戻され，映像信号用インタフェース３０４から映像装置１１７〜１１９に出力される。出力されたディジタル映像信号は，映像装置１１７〜１１９において蓄積もしくは表示される。
【００３８】
映像伝送装置１０４〜１０６が待機中もしくは映像を伝送させているときに，内部温度測定部２０５において映像伝送装置１０４〜１０６の内部温度の異常が検出されると，内部温度測定部２０５は，内部温度に異常があることを信号伝送路２０２を介して信号処理部２０１に通知し，その通知を受けた信号処理部２０１は，内部温度に異常があることを通知する情報を遠隔管理情報１２０〜１２２に内包させて，信号伝送路２０２，遠隔管理情報入出力インタフェース２０８を介して，遠隔管理装置１２３に通知する。これにより，遠隔管理装置１２３は，映像伝送装置１０４〜１０６の内部温度に異常があることを認識することができる。
【００３９】
同様にして，映像伝送装置１１４〜１１６が待機中もしくは映像を伝送させているときに，内部温度測定部３０５において映像伝送装置１１４〜１１６の内部温度の異常が検出されると，内部温度測定部３０５は内部温度に異常があることを信号伝送路３０２を介して信号処理部３０１に通知し，その通知を受けた信号処理部３０１は，内部温度に異常があることを通知する情報を遠隔管理情報１２４〜１２６に内包させて，信号伝送路３０２，遠隔管理情報入出力インタフェース３０８を介して，遠隔管理装置１２７に通知する。これにより，遠隔管理装置１２７は，映像伝送装置１１４〜１１６の内部温度に異常があることを認識することができる。
【００４０】
映像伝送装置１０４〜１０６が待機中もしくは映像を伝送させているときに，排熱用ファン回転数測定部２０６において映像伝送装置１０４〜１０６の排熱用ファン回転数の異常が検出されると，排熱用ファン回転数測定部２０６は排熱用ファン回転数に異常があることを信号伝送路２０２を介して信号処理部２０１に通知し，その通知を受けた信号処理部２０１は，排熱用ファン回転数に異常があることを通知する情報を遠隔管理情報１２０〜１２２に内包させて，信号伝送路２０２，遠隔管理情報入出力インタフェース２０８を介して，遠隔管理装置１２３に通知する。これにより，遠隔管理装置１２３は映像伝送装置１０４〜１０６の排熱用ファン回転数に異常があることを認識することができる。
【００４１】
同様にして，映像伝送装置１１４〜１１６が待機中もしくは映像を伝送させているときに，排熱用ファン回転数測定部３０６において映像伝送装置１１４〜１１６の排熱用ファン回転数の異常が検出されると，排熱用ファン回転数測定部３０６は，排熱用ファン回転数に異常があることを信号伝送路３０２を介して信号処理部３０１に通知し，その通知を受けた信号処理部３０１は，排熱用ファン回転数に異常があることを通知する情報を遠隔管理情報１２４〜１２６に内包させて，信号伝送路３０２，遠隔管理情報入出力インタフェース３０８を介して，遠隔管理装置１２７に通知する。これにより，遠隔管理装置１２７は映像伝送装置１１４〜１１６の排熱用ファン回転数に異常があることを認識することができる。
【００４２】
映像伝送装置１０４〜１０６が待機中もしくは映像を伝送させているときに，電圧測定部２０７において映像伝送装置１０４〜１０６の電源等の電圧の異常が検出されると，電圧測定部２０７は，電圧に異常があることを信号伝送路２０２を介して信号処理部２０１に通知し，その通知を受けた信号処理部２０１は，電圧に異常があることを通知する情報を遠隔管理情報１２０〜１２２に内包させて，信号伝送路２０２，遠隔管理情報入出力インタフェース２０８を介して，遠隔管理装置１２３に通知する。これにより，遠隔管理装置１２３は映像伝送装置１０４〜１０６の電圧に異常があることを認識することができる。
【００４３】
同様にして，映像伝送装置１１４〜１１６が待機中もしくは映像を伝送させているときに，電圧測定部３０７において映像伝送装置１１４〜１１６の電圧に異常が生じると，電圧測定部３０７は，電圧に異常があることを信号伝送路３０２を介して信号処理部３０１に通知し，その通知を受けた信号処理部３０１は，電圧に異常があることを通知する情報を遠隔管理情報１２４〜１２６に内包させて，信号伝送路３０２，遠隔管理情報入出力インタフェース３０８を介して，遠隔管理装置１２７に通知する。これにより，遠隔管理装置１２７は映像伝送装置１１４〜１１６の電圧に異常があることを認識することができる。
【００４４】
映像伝送装置１０４〜１０６，１１４〜１１６から遠隔管理装置１２３，１２７へ遠隔管理情報を送る契機として，所定の時間ごとに送る方法，遠隔管理装置１２３，１２７からの問い合わせがあったときに送る方法，または内部温度測定部２０５，３０５，排熱用ファン回転数測定部２０６，３０６，電圧測定部２０７，３０７による測定値が所定の閾値との比較により，ある定められた範囲以外の値になったときに送る方法などを用いることができる。
【００４５】
映像装置１０１〜１０３からのディジタル映像信号の伝送を終了させる場合，遠隔管理装置１２３，１２７から映像伝送を終了させる情報が内包された遠隔管理情報１２０〜１２２および１２４〜１２６が，映像伝送装置１０４〜１０６および１１４〜１１６に発信される。
【００４６】
遠隔管理装置１２３，１２７から発信された遠隔管理情報１２０〜１２２および１２４〜１２６は，映像伝送装置１０４〜１０６および１１４〜１１６の遠隔管理情報入出力インタフェース２０８，３０８から入力され，信号伝送路２０２，３０２を介して信号処理部２０１，３０１に伝送される。信号処理部２０１，３０１は，遠隔管理情報に内包されてきた映像伝送を終了させる情報を読み出し，映像伝送装置１０４〜１０６および１１４〜１１６による映像伝送を停止させる。
【００４７】
ここで，遠隔管理装置１２３から送信側の映像伝送装置１０４〜１０６に発信される遠隔管理情報１２０〜１２２とは，当該映像伝送装置１０４〜１０６を送信装置として設定させる情報，映像装置１０１〜１０３から入力させるディジタル映像信号の種類を選択させる情報，受信側の映像伝送装置１１４〜１１６のＩＰアドレス，映像伝送装置１０４〜１０６のＩＰアドレス，送信させるネットワーク１１０の伝送用パケットサイズ，映像伝送を開始させる時刻情報，映像伝送を終了させる時刻情報，ネットワーク１１０のサブネットマスク値，ネットワーク１１０のデフォルトゲートウェイ値，受信側の映像伝送装置１１４〜１１６のＩＰアドレスに対応付けられるネットワーク通信用のハードウェアアドレスなどである。
【００４８】
遠隔管理装置１２７から受信側の映像伝送装置１１４〜１１６に発信される遠隔管理情報１２４〜１２６とは，当該装置を受信装置として設定させる情報，映像装置１１７〜１１９へ出力させるディジタル映像信号の種類を選択させる情報，送信側の映像伝送装置１０４〜１０６のＩＰアドレス，当該装置のＩＰアドレス，送信されてくるネットワーク１１０の伝送用パケットサイズを選択させる情報，映像伝送を開始させる時刻情報，映像伝送を終了させる時刻情報，ネットワーク１１０のサブネットマスク値，ネットワーク１１０のデフォルトゲートウェイ値，送信側の映像伝送装置１０４〜１０６のＩＰアドレスに対応付けられるネットワーク通信用のハードウェアアドレスなどである。
【００４９】
映像装置１０１〜１０３，１１７〜１１９が入出力するディジタル映像信号として，ＳＤＩ（Ｓｅｒｉａｌ　Ｄｉｇｉｔａｌ　Ｉｎｔｅｒｆａｃｅ）信号またはＳＤＴＩ（Ｓｅｒｉａｌ　Ｄｉｇｉｔａｌ　Ｔｒａｎｓｐｏｒｔ　Ｉｎｔｅｒｆａｃｅ）信号を用いることができる。
【００５０】
遠隔管理情報入出力インタフェースとは，データ通信用の通信媒体をいい，本発明に使用可能な遠隔管理情報入出力インタフェースとしては，例えばＲＳ２３２Ｃ，ＲＳ４２２，ＲＪ−１１，ＲＪ−４５，ＵＳＢ，固定電話用インタフェース，携帯電話用インタフェース，イーサネットワークインタフェース，その他通信用コネクタが挙げられる。また，遠隔管理情報の伝達手段として，例えばＳＮＭＰ（Ｓｉｍｐｌｅ　Ｎｅｔｗｏｒｋ　Ｍａｎａｇｅｍｅｎｔ　Ｐｒｏｔｏｃｏｌ）を用いることができる。
【００５１】
また，本発明に使用可能なネットワーク１１０としては，インタネット，イントラネット，ブロードバンド網，ＩＰ網，イーサネット（登録商標）網，ＡＴＭ網，ファイバチャネル網，ＩＥＥＥ１３９４網などが挙げられる。
【００５２】
なお，本実施の形態では，１つの映像伝送装置に対して１つのスイッチを接続させている例を説明したが，複数の映像伝送装置が同一のスイッチに接続可能な範囲内に設置されている場合には，複数の映像伝送装置を１つのスイッチに接続させる実施も可能である。
【００５３】
次に，本発明の第２の実施の形態を説明する。第２の実施の形態は，装置の基本構成は前述した第１の実施の形態と同様であり，遠隔に設置された管理装置から発信された遠隔管理情報ならびに当該映像伝送装置から遠隔に設置された管理装置へ発信された遠隔管理情報を，ネットワークを介して送受信することにより，映像伝送装置を遠隔から管理する一具体例を示すものである。
【００５４】
図４は，本発明の第２の実施の形態に係る映像伝送装置と遠隔に設置された遠隔管理装置との間で送受信される遠隔管理情報を，ネットワークを介して送受信させることによって，映像伝送装置を遠隔から管理する方法を説明するための図である。図４において，４０１〜４０３および４１７〜４１９は映像装置，４０４〜４０６および４１４〜４１６は映像伝送装置，４０７〜４０９および４１１〜４１３はスイッチ，４１０はネットワーク，４２０〜４２５は遠隔管理情報，４２６は遠隔管理装置を表す。
【００５５】
図５は，第２の実施の形態の映像を伝送させるために用いる遠隔に設置された管理装置から発信された遠隔管理情報ならびに遠隔に設置された管理装置へ発信させる遠隔管理情報を入出力させるインタフェースとして，ネットワーク用インタフェースを用いた送信側の映像伝送装置を説明するための図である。図５において，５０１は信号処理部，５０２は信号伝送路，５０３は映像信号用インタフェース，５０４はネットワーク用インタフェース，５０５は内部温度測定部，５０６は排熱用ファン回転数測定部，５０７は電圧測定部を表す。
【００５６】
図６は，第２の実施の形態の映像を伝送させるために用いる遠隔に設置された管理装置から発信された遠隔管理情報ならびに遠隔に設置された管理装置へ発信させる遠隔管理情報を入出力させるインタフェースとして，ネットワーク用インタフェースを用いた受信側の映像伝送装置を説明するための図である。図６において，６０１は信号処理部，６０２は信号伝送路，６０３はネットワーク用インタフェース，６０４は映像信号用インタフェース，６０５は内部温度測定部，６０６は排熱用ファン回転数測定部，６０７は電圧測定部を表す。
【００５７】
第２の実施の形態においては，第１の実施の形態で説明した遠隔管理情報入出力インタフェースがネットワーク用インタフェース５０４，６０３を用いて実現されている。換言すれば，ネットワーク用インタフェース５０４，６０３が，ディジタル映像信号のパケットの送受信のためのインタフェースと，遠隔管理情報を入出力するための遠隔管理情報入出力インタフェースとを兼ねている。
【００５８】
図４に示すように，映像装置４０１は，映像伝送装置４０４，スイッチ４０７，ネットワーク４１０，スイッチ４１１，映像伝送装置４１４を介して映像装置４１７と接続されている。
【００５９】
映像伝送装置４０４は遠隔管理装置４２６とネットワーク４１０を介して接続されており，映像伝送装置４０４は遠隔管理装置４２６に対して遠隔管理情報４２０を発信させ，遠隔管理装置４２６は映像伝送装置４０４に対して遠隔管理情報４２０を発信させる。
【００６０】
映像伝送装置４１４は遠隔管理装置４２６とネットワーク４１０を介して接続されており，映像伝送装置４１４は遠隔管理装置４２６に対して遠隔管理情報４２３を発信させ，遠隔管理装置４２６は映像伝送装置４１４に対して遠隔管理情報４２３を発信させる。
【００６１】
同様に，映像装置４０２，４０３は，それぞれ映像伝送装置４０５，４０６，スイッチ４０７，４０８，ネットワーク４１０，スイッチ４１２，４１３，映像伝送装置４１５，４１６を介して映像装置４１８，４１９と接続されている。
【００６２】
映像伝送装置４０５は遠隔管理装置４２６とネットワーク４１０を介して接続されており，映像伝送装置４０５は遠隔管理装置４２６に対して遠隔管理情報４２１を発信させ，遠隔管理装置４２６は映像伝送装置４０５に対して遠隔管理情報４２１を発信させる。映像伝送装置４０６も同様である。
【００６３】
映像伝送装置４１５は遠隔管理装置４２６とネットワーク４１０を介して接続されており，映像伝送装置４１５は遠隔管理装置４２６に対して遠隔管理情報４２４を発信させ，遠隔管理装置４２６は映像伝送装置４１５に対して遠隔管理情報４２４を発信させる。映像伝送装置４１６も同様である。
【００６４】
図４に示す映像を伝送させる送信側の映像伝送装置４０４〜４０６は，遠隔管理装置４２６から発信される遠隔管理情報４２０〜４２２をネットワーク４１０を介して映像伝送装置４０４〜４０６のネットワーク用インタフェース５０４から入力する。その入力された遠隔管理情報４２０〜４２２は，信号伝送路５０２を介して信号処理部５０１に伝送され，遠隔管理情報４２０〜４２２が映像伝送装置４０４〜４０６に設定される。
【００６５】
同様にして，受信側の映像伝送装置４１４〜４１６は，遠隔管理装置４２６から発信される遠隔管理情報４２３〜４２５をネットワーク４１０を介して映像伝送装置４１４〜４１６のネットワーク用インタフェース６０３から入力する。その入力された遠隔管理情報４２３〜４２５は，信号伝送路６０２を介して信号処理部６０１に伝送され，信号処理部６０１に伝送された遠隔管理情報４２３〜４２５が映像伝送装置４１４〜４１６に設定される。
【００６６】
映像の伝送に必要となる情報が映像伝送装置４０４〜４０６および４１４〜４１６に設定された後，遠隔管理装置４２６から映像伝送を開始させる情報が内包された遠隔管理情報４２０〜４２５が発信されると，それに従って，映像伝送装置４０４〜４０６は，映像装置４０１〜４０３から出力されるディジタル映像信号を映像信号用インタフェース５０３から入力する。
【００６７】
映像信号用インタフェース５０３から入力されたディジタル映像信号は，信号伝送路５０２を介して信号処理部５０１に伝送され，ネットワーク伝送用のパケットに変換され，パケット化されたディジタル映像信号は，信号伝送路５０２からネットワーク用インタフェース５０４，スイッチ４０７〜４０９，ネットワーク４１０，スイッチ４１１〜４１３を経由して映像伝送装置４１４〜４１６へ伝送される。
【００６８】
映像伝送装置４１４〜４１６において受信したパケット化されたディジタル映像信号は，ネットワーク用インタフェース６０３から信号伝送路６０２を介して，信号処理部６０１へ伝送され，そのパケット化されたディジタル映像信号は，元のディジタル映像信号に戻され，映像信号用インタフェース６０４から映像装置４１７〜４１９に出力される。出力されたディジタル映像信号は，映像装置４１７〜４１９において蓄積もしくは表示される。
【００６９】
映像伝送装置４０４〜４０６が待機中もしくは映像を伝送させているときに，内部温度測定部５０５において映像伝送装置４０４〜４０６の内部温度の異常が検出されると，内部温度測定部５０５は内部温度に異常があることを信号伝送路５０２を介して信号処理部５０１に通知し，その通知を受けた信号処理部５０１は，内部温度に異常があることを通知する情報を遠隔管理情報４２０〜４２２に内包させて，信号伝送路５０２，ネットワーク用インタフェース５０４，ネットワーク４１０を介して，遠隔管理装置４２６に通知する。これにより，遠隔管理装置４２６は映像伝送装置４０４〜４０６の内部温度に異常があることを認識することができる。
【００７０】
同様にして，映像伝送装置４１４〜４１６が待機中もしくは映像を伝送させているときに，内部温度測定部６０５において映像伝送装置４１４〜４１６の内部温度の異常が検出されると，内部温度測定部６０５は内部温度に異常があることを信号伝送路６０２を介して信号処理部６０１に通知し，その通知を受けた信号処理部６０１は，内部温度に異常があることを通知する情報を遠隔管理情報４２３〜４２５に内包させて，信号伝送路６０２，ネットワーク用インタフェース６０３を介して，遠隔管理装置４２６に通知する。これにより，遠隔管理装置４２６は，映像伝送装置４１４〜４１６の内部温度に異常があることに認識することができる。
【００７１】
映像伝送装置４０４〜４０６が待機中もしくは映像を伝送させているときに，排熱用ファン回転数測定部５０６において映像伝送装置４０４〜４０６の排熱用ファン回転数の異常が検出されると，排熱用ファン回転数測定部５０６は排熱用ファン回転教に異常があることを信号伝送路５０２を介して信号処理部５０１に通知し，その通知を受けた信号処理部５０１は排熱用ファン回転数に異常があることを通知する情報を遠隔管理情報４２０〜４２２に内包させて，信号伝送路５０２，ネットワーク用インタフェース５０４を介して，遠隔管理装置４２６に通知する。これにより，遠隔管理装置４２６は映像伝送装置４０４〜４０６の排熱用ファン回転数に異常があることを認識することができる。
【００７２】
同様にして，映像伝送装置４１４〜４１６が待機中もしくは映像を伝送させているときに，排熱用ファン回転数測定部６０６において映像伝送装置４１４〜４１６の排熱用ファン回転数の異常が検出されると，排熱用ファン回転数測定部６０６は排熱用ファン回転数に異常があることを信号伝送路６０２を介して信号処理部６０１に通知し，その通知を受けた信号処理部６０１は排熱用ファン回転数に異常があることを通知する情報を遠隔管理情報４２３〜４２５に内包させて，信号伝送路６０２，ネットワーク用インタフェース６０３を介して，遠隔管理装置４２６に通知する。これにより，遠隔管理装置４２６は映像伝送装置４１４〜４１６の排熱用ファン回転数に異常があることを認識することができる。
【００７３】
映像伝送装置４０４〜４０６が待機中もしくは映像を伝送させているときに，電圧測定部５０７において映像伝送装置４０４〜４０６の電圧の異常が検出されると，電圧測定部５０７は，電圧に異常があることを信号伝送路５０２を介して信号処理部５０１に通知し，その通知を受けた信号処理部５０１は，電圧に異常があることを通知する情報を遠隔管理情報４２０〜４２２に内包させて，信号伝送路５０２，ネットワーク用インタフェース５０４を介して，遠隔管理装置４２６に通知する。これにより，遠隔管理装置４２６は映像伝送装置４０４〜４０６の電圧に異常があることを認識することができる。
【００７４】
同様にして，映像伝送装置４１４〜４１６が待機中もしくは映像を伝送させているときにおいて，電圧測定部６０７において映像伝送装置４１４〜４１６の電圧に異常が生じると，電圧測定部６０７は，電圧に異常があることを信号伝送路６０２を介して信号処理部６０１に通知し，その通知を受けた信号処理部６０１は電圧に異常があることを通知する情報を遠隔管理情報４２３〜４２５に内包させて，信号伝送路６０２，ネットワーク用インタフェース６０３を介して，遠隔管理装置４２６に通知する。これにより，遠隔管理装置４２６は映像伝送装置４１４〜４１６の電圧に異常があることを認識することができる。
【００７５】
映像伝送装置４０４〜４０６，４１４〜４１６から遠隔管理装置４２６へ遠隔管理情報を送る契機として，所定の時間ごとに送る方法，遠隔管理装置４２６からの問い合わせがあったときに送る方法，または内部温度測定部５０５，６０５，排熱用ファン回転数測定部５０６，６０６，電圧測定部５０７，６０７による測定値が所定の閾値との比較により，ある定められた範囲以外の値になったときに送る方法などを用いることができる。
【００７６】
映像装置４０１〜４０３からのディジタル映像信号の伝送を終了させる場合には，遠隔管理装置４２６から映像伝送を終了させる情報が内包された遠隔管理情報４２０〜４２２および４２３〜４２５が発信され，遠隔管理装置４２６から発信された遠隔管理情報４２０〜４２２および４２３〜４２５は，映像伝送装置４０４〜４０６および４１４〜４１６のネットワーク用インタフェース５０４，６０３から入力され，入力された遠隔管理情報４２０〜４２２は，信号伝送路５０２，６０２を介して信号処理部５０１，６０１に伝送される。信号処理部５０１，６０１は，遠隔管理情報に内包されてきた映像伝送を終了させる情報を読み出し，映像伝送装置４０４〜４０６および４１４〜４１６の映像伝送を停止させる。
【００７７】
ここで，遠隔管理装置４２６から送信側の映像伝送装置４０４〜４０６に発信される遠隔管理情報４２０〜４２２とは，当該装置を送信装置として設定させる情報，映像装置４０１〜４０３から入力させるディジタル映像信号の種類を選択させる情報，受信側の映像伝送装置４１４〜４１６のＩＰアドレス，送信させるネットワーク４１０の伝送用パケットサイズ，映像伝送を開始させる時刻情報，映像伝送を終了させる時刻情報，受信側の映像伝送装置４１４〜４１６のＩＰアドレスに対応付けられるネットワーク通信用のハードウェアアドレスなどである。
【００７８】
遠隔管理装置４２６から受信側の映像伝送装置４１４〜４１６に発信される遠隔管理情報４２３〜４２５とは，当該装置を受信装置として設定させる情報，映像装置４１７〜４１９へ出力させるディジタル映像信号の種類を選択させる情報，送信側の映像伝送装置４０４〜４０６のＩＰアドレス，送信されてくるネットワーク４１０の伝送用パケットサイズを選択させる情報，映像伝送を開始させる時刻情報，映像伝送を終了させる時刻情報，送信側の映像伝送装置４０４〜４０６のＩＰアドレスに対応付けられるネットワーク通信用のハードウェアアドレスなどである。
【００７９】
映像装置４０１〜４０３，４１７〜４１９が入出力するディジタル映像信号として，ＳＤＩ（Ｓｅｒｉａｌ　Ｄｉｇｉｔａｌ　Ｉｎｔｅｒｆａｃｅ）信号またはＳＤＴＩ（Ｓｅｒｉａｌ　Ｄｉｇｉｔａｌ　Ｔｒａｎｓｐｏｒｔ　Ｉｎｔｅｒｆａｃｅ）信号を用いることができる。
【００８０】
遠隔管理情報入出力インタフェースとはデータ通信用の通信媒体をいい，本発明に使用可能な遠隔管理情報入出力インタフェースとしては，例えばＲＳ２３２Ｃ，ＲＳ４２２，ＲＪ−１１，ＲＪ−４５，ＵＳＢ，固定電話用インタフェース，携帯電話用インタフェース，イーサネットワークインタフェース，その他通信用コネクタが挙げられる。また，遠隔管理情報の伝達手段として，例えばＳＮＭＰ（Ｓｉｍｐｌｅ　Ｎｅｔｗｏｒｋ　Ｍａｎａｇｅｍｅｎｔ　Ｐｒｏｔｏｃｏｌ）を用いることができる。
【００８１】
また，本発明に使用可能なネットワークとしては，インタネット，イントラネット，ブロードバンド網，ＩＰ網，イーサネット網（登録商標），ＡＴＭ網，ファイバチャネル網，ＩＥＥＥ１３９４網などが挙げられる。
【００８２】
なお，本実施の形態では１つの映像伝送装置に対して１つのスイッチを接続させている例を説明したが，複数の映像伝送装置が同一のスイッチに接続可能な範囲内に設置されている場合には，複数の映像伝送装置を１つのスイッチに接続させてもよい。
【００８３】
以上説明したように，本発明では，映像伝送装置に遠隔管理情報の入出力のためのインタフェースを具備させることにより，当該装置を遠隔に設置された管理装置から発信された遠隔管理情報ならびに当該装置から遠隔に設置された管理装置へ発信させる遠隔管理情報を入出力できるようになるため，一般的に通信機器が設置されるラック等への設置を可能にさせること，遠隔に設置された映像伝送装置をユーザによって一元的に管理させることを可能にすること，映像伝送装置に異常動作が認められた場合，その原因が映像伝送装置の排熱による不具合のためか，あるいは映像伝送装置に異常に多くの電荷が蓄積されているためか，それ以外の理由によるものかを判別できるようにすること，映像伝送装置に異常が生じた場合，映像伝送装置に異常が発生していることをユーザに通知することなどが可能な映像伝送装置を実現することができる。
【００８４】
【発明の効果】
以上説明したように，本発明は，次のような効果を奏する。
【００８５】
（１）第１の効果は，映像伝送装置の設置場所をユーザがオペレーションを行う際に便利な場所と離すことが可能となり，映像伝送装置を一般に通信機器が設置される小スペースのラック等へ設置することが容易となることである。その理由は，本発明による映像伝送装置は，遠隔から映像伝送装置のオペレーションを可能とする遠隔管理情報の入出力のためのインタフェースを設け，このインタフェースを利用することで，ユーザは，オペレーションを映像伝送装置の近傍以外の場所から行うことができるためである。
【００８６】
（２）第２の効果は，複数の映像伝送装置の管理を唯一のユーザが唯一の場所で集中して行うこと（集中管理）が可能となることである。その理由は，本発明による映像伝送装置は，遠隔から映像伝送装置のオペレーションを可能とする遠隔管理情報の入出力のためのインタフェースを設け，このインタフェースを利用することで，ユーザは，オペレーションを映像伝送装置の近傍以外の場所から行うことができるためである。
【００８７】
（３）第３の効果は，映像伝送装置の異常動作が認められた場合，その原因が映像伝送装置の排熱の不具合のためか，あるいは映像伝送装置に異常に電荷が蓄積されているためか，それ以外の理由によるものかを判別できることである。その理由は，本発明による映像伝送装置は，内部温度を測定する手段，排熱用のファンの回転数の測定する手段，電圧を測定する手段を有し，定期的に，またはユーザからの問い合わせがあった場合に，測定した内部温度，排熱用のファンの回転数あるいは電圧の情報を，遠隔管理装置へ送り，ユーザに通知する機能を持つからである。
【００８８】
（４）第４の効果は，映像伝送装置の排熱の不具合，あるいは映像伝送装置へ異常な電荷の蓄積を原因とする映像伝送装置の異常動作を，事前に察知し，適切に対処することで，異常動作を回避することが可能となることである。その理由は，本発明による映像伝送装置は，内部温度を測定する手段，排熱用のファンの回転数の測定する手段，電圧を測定する手段を有し，これらの手段により測定した内部温度，排熱用のファンの回転数あるいは電圧が，予め定められた閾値以上になると，その旨を遠隔管理装置へ送り，ユーザに通知する機能を持つからである。
【図面の簡単な説明】
【図１】本発明の第１の実施の形態を説明するためのシステムの構成図である。
【図２】本発明の第１の実施の形態を説明するための送信側の映像伝送装置の構成図である。
【図３】本発明の第１の実施の形態を説明するための受信側の映像伝送装置の構成図である。
【図４】本発明の第２の実施の形態を説明するためのシステムの構成図である。
【図５】本発明の第２の実施の形態を説明するための送信側の映像伝送装置の構成図である。
【図６】本発明の第２の実施の形態を説明するための受信側の映像伝送装置の構成図である。
【図７】従来技術の映像伝送装置を適応させたディジタル映像を送受信させるためのシステムの例を示す図である。
【図８】従来の送信側の映像伝送装置の構成図である。
【図９】従来の受信側の映像伝送装置の構成図である。
【符号の説明】
１０１〜１０３，１１７〜１１９　映像装置
１０４〜１０６，１１４〜１１６　映像伝送装置
１０７〜１０９，１１１〜１１３　スイッチ
１１０　ネットワーク
１２０〜１２２，１２４〜１２６　遠隔管理情報
１２３，１２７　遠隔管理装置
２０１，３０１　信号処理部
２０２，３０２　信号伝送路
２０３，３０４　映像信号用インタフェース
２０４，３０３　ネットワーク用インタフェース
２０５，３０５　内部温度測定部
２０６，３０６　排熱用ファン回転数測定部
２０７，３０７　電圧測定部
２０８，３０８　遠隔管理情報入出力インタフェース
【図１】
2004015784.tif 000003
【図２】
2004015784.tif 000004
【図３】
2004015784.tif 000005
【図４】
2004015784.tif 000006
【図５】
2004015784.tif 000007
【図６】
2004015784.tif 000008
【図７】
2004015784.tif 000009
【図８】
2004015784.tif 000010
【図９】
2004015784.tif 000011